(57)【要約】【課題】  業務用等における個人情報の隠蔽を主たる目的としたものではなく、葉書を利用する者が個人的に用いるのに適し、主として自己の通信内容を友達等の受信者に十分楽しんでもらうために趣向をこらせる葉書用デコレーションシートの提供を課題とする。【解決手段】  葉書の裏面に貼り剥がし可能に貼り付けて内容を遮蔽することで受信者以外の者に葉書の内容が見えないようにすると共に、受信者が内容をより見たいと思うように葉書裏面をデコレートする葉書用デコレーションシートであって、葉書の寸法と略同じ寸法とした印字可能な紙質の本体シート１０を有し、本体シート１０は主要領域１１を除く領域の裏面を全部若しくは部分的に貼り剥がし可能な粘着領域１２として、葉書裏面を遮蔽するように貼り付けができるようにし、主要領域１１はその境界に沿ってミシン目部１１ａを施してあり、本体シート１０を主要領域１１において独自に窓開きできる。【選択図】      図２
2006301057.tif 000002
【特許請求の範囲】
【請求項１】
葉書の裏面に貼り剥がし可能に貼り付けて葉書裏面の内容を遮蔽することで受信者以外の者に葉書の内容が見えないようにすると共に、受信者が葉書の内容をより見たいと思うように葉書裏面をデコレートする葉書用デコレーションシートであって、
葉書の寸法と略同じ寸法とした印字可能な紙質の本体シートを有し、該本体シートはその主要領域を除く領域の裏面を全部若しくは部分的に貼り剥がし可能な粘着領域として、葉書裏面を遮蔽するように貼り付けることができるように構成し、前記主要領域はその境界に沿ってミシン目部を施してあり、これによって本体シートを主要領域において独自に窓開きすることができるようにしてあることを特徴とする葉書用デコレーションシート。
【請求項２】
本体シートの主要領域は、その裏面を文字や絵が書ける印字スペースに構成してあることを特徴とする請求項１に記載の葉書用デコレーションシート。
【請求項３】
主要領域の中に更に１乃至複数の窓開き用ミシン目部を設けてあることを特徴とする請求項１又は２に記載の葉書用デコレーションシート。
【請求項４】
葉書の寸法と略同じ寸法の当て紙を有し、該当て紙には、本体シートに現わされた各要素の配置状態を示す表示がなされていることを特徴とする請求項１〜３の何れかに記載の葉書用デコレーションシート。
【請求項５】
葉書の裏面に貼り剥がし可能に貼り付けて葉書裏面の内容を遮蔽することで受信者以外の者に葉書の内容が見えないようにすると共に、受信者が葉書の内容をより見たいと思うように葉書裏面をデコレートする葉書用デコレーションシートであって、
葉書の寸法と略同じ寸法とした印字可能な紙質の本体シートを有し、該本体シートはその裏面を全部若しくは部分的に貼り剥がし可能な粘着領域として、葉書裏面を遮蔽するように貼り付けることができるように構成し、且つ前記本体シートの１乃至複数箇所に窓開き用ミシン目部を設けてあることを特徴とする葉書用デコレーションシート。
【請求項６】
葉書の寸法と略同じ寸法の当て紙を有し、該当て紙には、本体シートに現わされた各要素の配置状態を示す表示がなされていることを特徴とする請求項５に記載の葉書用デコレーションシート。
【発明の詳細な説明】
【技術分野】
【０００１】
本発明は葉書用デコレーションシートに関し、より詳しくは、葉書の裏面に貼り剥がし可能に貼り付けることができるシートで、それによって表現内容をより変化に富んだものにデコレートすることができる葉書用デコレーションシートに関する。
【背景技術】
【０００２】
一般に葉書は、その表面に通信相手の住所や名前を書き、裏面に通信したい内容を書くようになっている。この表面や裏面に記載される内容は通常において隠蔽されないことから、最近は主として個人情報の保護を目的とした観点から、葉書の表面や裏面に隠蔽シールを貼ることが行われつつある。
【０００３】
従来の葉書用の隠蔽シールとしては、例えば葉書用シークレットシート及びその使用方法（特許文献１）が開示されている。この特許文献１の発明は、葉書を２枚連結したような紙支持体２を用い、この紙支持体２を２つに折りに重ねて粘着接合することで葉書紙を完成し、且つ所用の隠し情報を前記貼り合わされた面に隠蔽するようにしたものである。
また葉書用シール（特許文献２）が開示されている。この特許文献２の発明は、葉書面に貼るシールであり、このシールに文字や絵などを印刷し或いは自筆し、これを粘着面側で葉書面に貼ることで、簡単に葉書書面を作成することができるようにしたものである。
また郵便葉書用隠蔽シール及び該隠蔽シールを利用した郵便葉書（特許文献３）が開示されている。この特許文献３の発明は、隠蔽シール２の表面に切手粘着欄１０や郵便番号記入欄１１、宛先記入欄１２等の記入欄を設け、この隠蔽シール２を葉書本体１に貼り付けることで、葉書本体１の情報記入欄４に記入された情報を隠蔽することができる。隠蔽シール２を葉書本体１から剥がすと、剥がれずに残ったフィルム層７、粘着剤層８を介して葉書本体１の情報を見ることができるものである。
また隠蔽シール付葉書用シート（特許文献４）が開示されている。この特許文献４の発明は、葉書本体Ａの一部等に別の用紙Ｂが積層されており、この別の用紙Ｂを剥離して、葉書本体Ａの隠蔽情報記載部Ｅの上に貼り付けることで隠蔽できるようにしたものである。
またシークレット葉書（特許文献５）が開示されている。この特許文献５の発明は、葉書紙片１と隠蔽紙片２とを用い、これを接着して葉書を完成させる。葉書を前記葉書紙片と隠蔽紙片２とに剥がすことで、内部に隠蔽されている割引券や抽選番号情報等の隠蔽情報を確認することができる。
また個人情報保護シール（特許文献６）が開示されている。この特許文献６の発明は、個人情報保護シール１０を葉書面に強力に貼り付けることで、使用済みの葉書に記載された情報を見ることができないようにしたものである。
【特許文献１】特開平５−２４６１７６号公報
【特許文献２】特開平７−２１９４３１号公報
【特許文献３】特開平１１−１９８５６５号公報
【特許文献４】特開２００１−３３４７７７号公報
【特許文献５】特開２００１−４７７７４号公報
【特許文献６】特開２００４−２７２１７７号公報
【発明の開示】
【発明が解決しようとする課題】
【０００４】
ところが上記特許文献１〜６の発明は、何れも葉書に記載された事項の隠蔽を主たる目的としたものであり、一般の消費者が葉書紙とシール紙とを用いて、あれこれと趣向を凝らした葉書を作成するのには適したものではなかった。特に葉書紙面を貼り剥がし自在に隠蔽するシール紙において、全体を剥がす前にそのシール紙の一部領域を先にウインドウの如く開いて、葉書紙面の一部を先に見ることができるようにしたものはなかった。
【０００５】
そこで本発明は上記従来技術の問題を解決し、業務用等における個人情報の隠蔽を主たる目的とした隠蔽シールではなく、葉書を利用する個々の者が個人的に用いるのに適し、主として自己の通信内容を友達等の受信者に十分に楽しんでもらうための趣向を凝らすことができる葉書用デコレーションシートの提供を課題とする。
【課題を解決するための手段】
【０００６】
上記課題を達成するための本発明の葉書用デコレーションシートは、葉書の裏面に貼り剥がし可能に貼り付けて葉書裏面の内容を遮蔽することで受信者以外の者に葉書の内容が見えないようにすると共に、受信者が葉書の内容をより見たいと思うように葉書裏面をデコレートする葉書用デコレーションシートであって、
葉書の寸法と略同じ寸法とした印字可能な紙質の本体シートを有し、該本体シートはその主要領域を除く領域の裏面を全部若しくは部分的に貼り剥がし可能な粘着領域として、葉書裏面を遮蔽するように貼り付けることができるように構成し、前記主要領域はその境界に沿ってミシン目部を施してあり、これによって本体シートを主要領域において独自に窓開きすることができるようにしてあることを第１の特徴としている。
また本発明の葉書用デコレーションシートは、上記第１の特徴に加えて、本体シートの主要領域は、その裏面を文字や絵が書ける印字スペースに構成してあることを第２の特徴としている。
また本発明の葉書用デコレーションシートは、上記第１又は第２の特徴に加えて、主要領域の中に更に１乃至複数の窓開き用ミシン目部を設けてあることを第３の特徴としている。
また本発明の葉書用デコレーションシートは、上記第１〜第３の何れかの特徴に加えて、葉書の寸法と略同じ寸法の当て紙を有し、該当て紙には、本体シートに現された各要素の配置状態を示す表示がなされていることを第４の特徴としている。
また本発明の葉書用デコレーションシートは、葉書の裏面に貼り剥がし可能に貼り付けて葉書裏面の内容を遮蔽することで受信者以外の者に葉書の内容が見えないようにすると共に、受信者が葉書の内容をより見たいと思うように葉書裏面をデコレートする葉書用デコレーションシートであって、
葉書の寸法と略同じ寸法とした印字可能な紙質の本体シートを有し、該本体シートはその裏面を全部若しくは部分的に貼り剥がし可能な粘着領域として、葉書裏面を遮蔽するように貼り付けることができるように構成し、且つ前記本体シートの１乃至複数箇所に窓開き用ミシン目部を設けてあることを第５の特徴としている。
また本発明の葉書用デコレーションシートは、上記第５の特徴に加えて、葉書の寸法と略同じ寸法の当て紙を有し、該当て紙には、本体シート本体に現された各要素の配置状態を示す表示がなされていることを第６の特徴としている。
【発明の効果】
【０００７】
請求項１に記載の葉書用デコレーションシートによれば、葉書を送る送信者は、葉書の裏に自由に文字、絵、写真等を印字して、葉書裏面の内容を作成する。また送信者は本体シートの表面にも自由に印字しておくことができる。この場合において、本体シートの主要領域をミシン目部に沿って先に開けると楽しい旨等を印字しておくことができる。
次に本体シートを、その裏面の粘着領域で葉書裏面に貼り付ける。これによって葉書裏面の内容が遮蔽されて見えなくなるようにすることができる。
一方、葉書の受信者は、葉書裏面に貼られた本体シートの表面に印字された内容を先ず見ることができ、次に送信者によるアドバイス等に従って、前記本体シート全体を剥がし取るのに先立って、独自に主要領域をミシン目部に沿って切り開いて行くことにより該主要領域を窓開きすることができる。これによって現れてくる絵や写真等の印字を楽しむことができる。更に本体シート全体を葉書裏面から剥ぎ取ることで、葉書裏面の内容の全体を知ることができる。
よって請求項１に記載の葉書用デコレーションシートによれば、送信者は自己が作成した葉書内容を受信者以外の者には見せることなく、しかも葉書裏面と本体シートによって葉書の内容を面白く、楽しく、好奇心をもって盛り上がって受信者に伝わるようにデコレートすることができ、一方、受信者は受信した葉書を段階を踏みつつ開いて行くことで、より好奇心をもって、楽しく、面白くその内容を知ることができる。結果として、葉書通信を一層楽しいものとすることができる。
【０００８】
請求項２に記載の葉書用デコレーションシートによれば、上記請求項１に記載の構成による効果に加えて、本体シートの主要領域は、その裏面を文字や絵が書ける印字スペースに構成してあるので、送信者が、本体シートの粘着剤が施されていない主要領域の裏面に予めメッセージ等を記載しておくことで、受信者が主要領域を開いたときに、現れてくる葉書裏面の写真や絵などの内容と、前記印字スペースに記載された内容を併せて理解することができる楽しさをもたらすことが可能となる。
【０００９】
請求項３に記載の葉書用デコレーションシートによれば、上記請求項１又は２に記載の構成による効果に加えて、主要領域の中に更に１乃至複数の窓開き用ミシン目部を設けてあるので、送信者はその１乃至複数の窓開き用ミシン目部を利用することで、より一層、手の込んだ趣向を凝らした内容の演出を施すことが可能となる。
【００１０】
請求項４に記載の葉書用デコレーションシートによれば、上記請求項１〜３の何れかに記載の構成による効果に加えて、葉書の寸法と略同じ寸法の当て紙を有し、該当て紙には、本体シートに現された各要素の配置状態を示す表示がなされているので、該当て紙を図形読み取り装置でコンピュータ内に取り込むことで、同じくコンピュータ内に表示される葉書の枠に対して、本体シートに現れる主要領域や窓開き用のミシン目等の要素を容易に位置合わせして表示することが可能になる。従ってコンピュータ上において葉書の裏面を作成する場合に、写真や絵や文字を各要素の配置状態に合わせて、所定の枠内等の位置に丁度収まるように容易に配置調整を行うことができる。勿論、コンピュータを用いずに直接的に葉書の裏面に写真を貼ったり、絵を書いたり、文字を書いたりする場合にも、当て紙を用いて、主要領域や窓開き用ミシン目等の要素を容易に位置合わせすることができる。
【００１１】
請求項５に記載の葉書用デコレーションシートによれば、葉書を送る送信者は、葉書の裏に自由に文字を手書き或いは印刷し、絵を手書き或いは印刷し、写真を貼り或いは印刷（以下、これら葉書の内容を作成する各動作を「印字」という言葉を用いて総称する）して、葉書裏面の内容を作成する。また送信者は本体シートの表面にも自由に印字しておくことができる。この場合において、本体シートの窓開き用ミシン目部を先に開けると楽しい旨等を印字しておくことができる。
次に本体シートをその裏面の粘着領域で葉書裏面に貼り付ける。これによって葉書裏面の内容が遮蔽されて見えなくなるようにすることができる。
一方、葉書の受信者は、葉書裏面に貼られた本体シートの表面に印字された内容を先ず見ることができ、次に送信者によるアドバイス等に従って、前記本体シート全体を剥がし取るのに先立って、独自に１乃至複数の窓開き用ミシン目部を開くことができる。これによって現れてくる絵や写真等の印字を楽しむことができる。更に本体シート全体を葉書裏面から剥ぎ取ることで、葉書裏面の内容の全体を知ることができる。
よって請求項５に記載の葉書用デコレーションシートによれば、送信者は自己が作成した葉書内容を受信者以外のものには見せることなく、しかも葉書裏面と本体シートによって葉書の内容を面白く、楽しく、好奇心をもって盛り上がって受信者に伝わるようにデコレートすることができ、一方、受信者は受信した葉書を段階を踏みつつ開いて行くことで、より好奇心をもって、楽しく、面白くその内容を知ることができる。結果として、葉書通信を一層楽しいものとすることができる。
【００１２】
請求項６に記載の葉書用デコレーションシートによれば、請求項５に記載の構成による効果に加えて、葉書の寸法と略同じ寸法の当て紙を有し、該当て紙には、本体シートに現された各要素の配置状態を示す表示がなされているので、該当て紙を図形読み取り装置でコンピュータ内に取り込むことで、同じくコンピュータ内に表示される葉書の枠に対して、本体シートに現れる窓開き用ミシン目等の要素を容易に位置合わせして表示することが可能になる。従ってコンピュータ上において葉書の裏面を作成する場合に、写真や絵や文字を各要素の配置状態に合わせて、所定の枠内等の位置に丁度収まるように容易に配置調整を行うことができる。勿論、コンピュータを用いずに直接的に葉書の裏面に写真を貼ったり、絵を書いたり、文字を書いたりする場合にも、当て紙を用いて、主要領域や窓開き用ミシン目等の要素を容易に位置合わせすることができる。
【発明を実施するための最良の形態】
【００１３】
以下の図面を参照して、本発明の葉書用デコレーションシートの第１の実施形態について説明する。
図１は本発明の第１の実施形態に係るデコレーションシートの本体シートの正面図、図２は同じく本体シートの裏面図、図３は第１の実施形態に係るデコレーションシートの当て紙の正面図、図４は葉書の裏面に本体シートを貼った状態での使用状態を示す斜視図である。
【００１４】
葉書用デコレーションシートは、本体シート１０と、当て紙２０と、図示しない剥離紙とからなる。剥離紙は、本体シート１０の未使用状態において本体シートの裏面に張り合わされて、本体シートの粘着領域が他のものに接着するのを防止する役割を果たし、本体シート１０の使用に際しては本体シート１０から剥がされる。
【００１５】
前記本体シート１０は、葉書１の寸法と略同じ寸法、より詳細には同じ寸法か少し小さい寸法とする。
本体シート１０の表面１０ａには主要領域１１を設けている。
本体シート１０の裏面１０ｂのうち、前記主要領域１１を除く領域（図２に示す裏面１０ｂにおいて斜線で示す領域）を粘着領域１２としている。この実施形態では粘着領域１２は裏面１０ｂのうち前記主要領域１１を除く全面としているが、必ずしも全面とする必要はない。全面ではなく部分的に粘着領域１２を設けてもよい。要するに粘着領域１２は、主要領域１１を除いた全部若しくは部分的に設けることで、本体シート１０が葉書の裏面を遮蔽して貼り付けることができればよいのである。
本体シート１０の一部に切り欠き１０ｃを設けている。この切り欠き１０ｃは本体シート１０を葉書に貼った後に、剥がす際の始点として利用される。
【００１６】
前記主要領域１１は、その境界に沿ってミシン目部１１ａが施されている。
主要領域１１の境界の一部はミシン目部１１ａを施さない非ミシン目部１１ｂとすることができる。この場合には、本体シート１０を葉書に貼り付けた状態において、該非ミシン目部１１ｂをもって、主要領域１１を本体シート１０から完全には切り離さない状態で開くことができる。勿論、主要領域１１の境界を全てミシン目部１１ａで形成した場合においても、一部のミシン目部１１ａを切り取らないことで、主要領域１１を本体シート１０から切り離さない状態で開くことができる。
前記該ミシン目部１１ａの一部には、切り込み１１ｃが設けられている。該切り込み１１ｃを始点として、ミシン目部１１ａをミシン目に沿って開くことができる。
主要領域１１の裏面は文字や絵が書ける印字スペースに構成される。即ち主要領域１１の裏面は、粘着剤が施される粘着領域１２とはせず、自由に文字や絵が書ける印字スペースとしている。
なお主要領域１１は、本実施形態では、本体シート１０の寸法から少し小さい寸法の長方形形状にしているが、そのような寸法、形状とする必要はなく、寸法・形状とも自由に構成することができる。但し、主要とする領域であるから、葉書の裏面に表現される内容の主要部が入るような寸法、形状にしておくことが必要である。
【００１７】
前記本体シート１０の裏面１０ｂの粘着領域１２には本体シート１０を葉書１へ貼り剥がし可能に貼り付けるための粘着剤が施されている。即ち、本体シート１０は裏面１０ｂの粘着領域１２で葉書１の裏面に貼ることができ、また粘着領域１２を剥がすことで本体シート１０を葉書１から剥がすことができる。
【００１８】
前記本体シート１０の主要領域１１には、その中に更に１乃至複数（図面上は２つ）の窓開き用ミシン目部１３が設けられている。該窓開き用ミシン目部１３の形状は、種々デザイン化することができる。また窓開き用ミシン目部１３は、その配置も種々に構成することができる。
窓開き用ミシン目部１３は、本来あるべきミシン目の一部を非ミシン目部１３ａとして、窓開き用ミシン目部１３を完全には切り離さないような形式とすることができる。
窓開き用ミシン目部１３には切り込み１３ｂを設けて、切り開き易くしている。
【００１９】
前記窓開き用ミシン目部１３は、前記主要領域１１に比べて領域が狭く、主として、窓開き用ミシン目部１３が開かれた際に下から絵や写真等が現れるようにするの用いることができる。
勿論、本体シート１０の窓開き用ミシン目部１３の裏面は粘着状態にはなっていないので、該窓開き用ミシン目部１３の裏面を文字等の印字スペースとして使用することができ、窓開き用ミシン目部１３が開かれた下から現れる絵や写真の説明文等の印字を行うことができる。
【００２０】
前記当て紙２０は、前記本体シート１０に組み合わされて用いることができる付属品である。当て紙２０は葉書の寸法と略同じ寸法、より詳細には同じ寸法か少し小さい寸法とする。本当て紙２０には、前記本体シート１０に現された各要素、具体的にはミシン目部１１ａで現された主要領域１１、窓開き用ミシン目部１３、切り欠き１０ｃの各要素の配置状態が線Ｌや切り欠き２０ａで表示されている。
このような当て紙２０は、葉書１の裏面に文字や絵を書き、また写真を貼る際に、後から貼り付けられる本体シート１０の主要領域１１や窓開き用ミシン目部１３の位置と予め整合させるのに用いる。具体的な使用の仕方は、該当て紙２０を直接葉書の裏面に当てることで、実際の葉書上での前記主要領域１１や窓開き用ミシン目部１３の位置が葉書のどの位置にくるかを確認できる。また当て紙２０をスキャナーでコンピュータ内に取り込み、コンピュータ上に現された葉書の裏面に対して前記当て紙２０に現された各要素を積層する形で表示し、これによってコンピュータ内で葉書の内容を作成する際に、文字の位置、絵や写真の配置を、本体シート１０との各要素での配置と容易に、確実に整合させることができる。
【００２１】
本葉書用デコレーションシートを用いた葉書の作成を説明する。先ず文字や絵や写真等のレイアウトを本体シート１０との関係を考慮しながら、葉書裏面の内容を作成する。
一方、本体シート１０の表面１０ａに前記葉書の裏面とは別に伝えたい通信内容を作成する。この際、主要領域１１や、窓開き用ミシン目部１３の領域には、それら領域が開かれて下から現れる絵や写真等との関係を考慮して、文字等が内容として作成される。
更に本体シート１０の裏面１０ｂの剥離紙を外して、該裏面１０ｂの前記主要領域１１に相当する部分に、印字スペースとして文字等を書くことができる。特に裏面１０ｂの前記窓開き用ミシン目部１３に相当する部分には、窓開き用ミシン目部１３を開いたときに下から現れる絵や写真等と関連する説明等の記載をすることで、内容を十分にデコレートして興味深い面白いものにすることができる。
以上のようにして葉書と本体シート１０とが作成されると、剥離紙が外された本体シート１０を、その裏面１０ｂで葉書１の裏面に貼る。そして投函する。
上記の葉書１を受けとった受信者は、葉書１の裏面、即ち、この時点では貼り付けられた本体シート１０の表面１０ａを見て、先ずその内容を楽しむことができる。そして表面１０ａに書かれた指示等のガイドに従って、窓開き用ミシン目部１３を開き、下から現れる絵や写真とその開かれた窓開き用ミシン目部１３の裏面に記載された関連内容とを併せて楽しむことができる。
更に主要領域１１を切り込み１１ｃから捲り、主要領域１１の下から現れる内容（葉書裏面）と、主要領域１１の裏面（本体シート１０の裏面１０ｂ）の内容を併せて楽しむことができる。
また主要領域１１がそれほど面積が大きくなく、主要領域１１の余白部に十分に印字スペースがある場合には、本体シート１０そのものをその切り欠き１０ｃから捲ることで、更に新たな内容が葉書１（図４参照）の裏面に現れて、その内容を楽しむことができる。
【００２２】
図５〜図８は本発明の第２の実施形態を示す図である。
図５は本発明の第２の実施形態に係るデコレーションシートの本体シートの正面図、図６は同じく本体シートの裏面図、図７は第２の実施形態に係るデコレーションシートの当て紙の正面図、図８は、葉書の裏面に本体シートを貼った状態での使用状態を示す斜視図である。
【００２３】
第２の実施形態においても、葉書用デコレーションシートは、本体シート５０と、当て紙６０と、図示しない剥離紙とからなる。剥離紙の役割は第１の実施形態の場合と同様である。
本体シート５０は、その葉書の寸法と略同じ寸法、より詳細には同じ寸法か少し小さい寸法とする。
本体シート５０の表面５０ａには１乃至複数の窓開き用ミシン目部５３を有する。
本体シート５０の裏面５０ｂは、本実施形態の場合、全面を粘着領域５２としている。この粘着領域５２は第１の実施形態における粘着領域１２と同じ機能を果たす。勿論、粘着領域５２は裏面５０ｂの全面ではなく部分的に施してもよい。要するに本体シート５０を葉書１の裏面に貼り付けて、その裏面５０ｂを遮蔽できるように構成すればよい。
本体シート５０の一部に切り欠き５０ｃを設けている。この切り欠き５０ｃは第１の実施形態における切り欠き１０ｃに相当し、同じ機能を有する。
【００２４】
前記窓開き用ミシン目部５３には切り込み５３ｂが設けられている。切り込み５３ｂを始点として、前記窓開き用ミシン目部５３を切り取ることができる。この窓開き用ミシン目部５３の場合は、その裏面が粘着剤の塗られた粘着領域５２となって、前提として文字等の印字ができないことから、窓開き用ミシン目部５３の一部を本体シート５０に残しておく必要がないので、原則的には前記窓開き用ミシン目部５３を完全に本体シート５０から切り取る。
勿論、この窓開き用ミシン目部５３の面積を大きくすることで、前記第１の実施形態における主要領域１１と同様なものとなり、窓開き用ミシン目部５３の中に更に窓開き用ミシン目部を設けることができる。
【００２５】
前記当て紙６０は、第１の実施形態における当て紙２０と同様な機能を果たし、本体シート５０に組み合わせて用いることができる付属品である。当て紙６０は葉書の寸法と略同じ寸法、より詳細には同じ寸法か少し小さい寸法とする。本当て紙６０には、前記本体シート５０に現された各要素、具体的には窓開き用ミシン目部５３、切り欠き５０ｃの各要素の配置状態が線Ｌや切り欠き６０ａで表示されている。
当て紙６０は、第１の実施形態の当て紙２０と同様に、葉書１の裏面に文字や絵を書き、また写真を貼る際に、後から貼り付けられる本体シート５０の窓開き用ミシン目部５３の位置と予め整合させるのに用いる。具体的な使用の仕方は、該当て紙６０を直接葉書の裏面に当てることで、実際の葉書上での窓開き用ミシン目部５３の位置が葉書のどの位置にくるかを確認できる。また当て紙６０をスキャナーでコンピュータ内に取り込み、コンピュータ上に現された葉書の裏面に対して前記当て紙６０に現された各要素を積層する形で表示し、これによってコンピュータ内で葉書の内容作成する際に、文字の位置、絵や写真の配置を、本体シート５０との各要素での配置と容易に、確実に整合させることができる。
【００２６】
本葉書用デコレーションシートを用いた葉書の作成を説明する。先ず文字や絵や写真等のレイアウトを本体シート５０との関係を考慮しながら、葉書裏面の内容を作成する。
一方、本体シート５０の表面５０ａに前記葉書１の裏面とは別に伝えたい通信内容を作成する。この際、窓開き用ミシン目部５３の領域には、それら領域が開かれて下から現れる絵や写真等との関係を考慮して、文字等が内容として作成される。
以上のようにして葉書１と本体シート５０とが作成されると、本体シート５０から剥離紙を外し、本体シート５０をその裏面５０ｂで、葉書１の裏面に貼る。そして投函する。
上記の葉書１を受けとった受信者は、葉書１の裏面、即ち、この時点では貼り付けられた本体シート５０の表面５０ａを見て、先ずその内容を楽しむことができる。そして表面５０ａに書かれた指示等のガイドに従って、窓開き用ミシン目部５３を切り取り或いは一部を残して開き、下から現れる絵や写真を、開かれた窓付近の本体シート５０の表面５０ａに記載された関連内容とを併せて楽しむことができる。
更に本体シート５０そのものをその切り欠き５０ｃから捲ることで、更に新たな内容が葉書１（図８参照）の裏面に現れて、その内容を楽しむことができる。
【図面の簡単な説明】
【００２７】
【図１】本発明の第１の実施形態に係るデコレーションシートの本体シートの正面図である。
【図２】同じく第１の実施形態に係る本体シートの裏面図である。
【図３】第１の実施形態に係るデコレーションシートの当て紙の正面図である。
【図４】第１の実施形態において葉書の裏面に本体シートを貼った状態での使用状態を示す斜視図である。
【図５】本発明の第２の実施形態に係るデコレーションシートの本体シートの正面図である。
【図６】同じく第２の実施形態に係る本体シートの裏面図である。
【図７】第２の実施形態に係るデコレーションシートの当て紙の正面図である。
【図８】第２の実施形態において葉書の裏面に本体シートを貼った状態での使用状態を示す斜視図である。
【符号の説明】
【００２８】
１        葉書
１０      本体シート
１０ａ    本体シートの表面
１０ｂ    本体シートの裏面
１０ｃ    本体シートの切り欠き
１１      主要領域
１１ａ    ミシン目部
１１ｂ    非ミシン目部
１１ｃ    切り込み
１２      粘着領域
１３      窓開き用ミシン目部
１３ａ    非ミシン目部
１３ｂ    切り込み
２０      当て紙
２０ａ    切り欠き
５０      本体シート
５０ａ    本体シートの表面
５０ｂ    本体シートの裏面
５０ｃ    本体シートの切り欠き
５２      粘着領域
５３      窓開き用ミシン目部
５３ｂ    切り込み
６０      当て紙
６０ａ    切り欠き
Ｌ        線
【図１】
2006301057.tif 000003
【図２】
2006301057.tif 000004
【図３】
2006301057.tif 000005
【図４】
2006301057.tif 000006
【図５】
2006301057.tif 000007
【図６】
2006301057.tif 000008
【図７】
2006301057.tif 000009
【図８】
2006301057.tif 000010